(57)【要約】      （修正有）【課題】非常用備蓄品等の物を収納することができる、組み立て分解が容易な収納用パーテーションを提供する。【解決手段】中空箱状体を一単位として組み立てる階層構造のパーテーションであって、かかる中空箱状体（床面に接する最下段用の中空箱状体を除く）は上に開口し、全部または一部に底板３を有し、底部または上部に他の中空箱状体と組み合わされるよう嵌め込み突起部２を有し、床面に接する最下段用の中空箱状体は上に開口し、全部または一部に底板３を有するが、かかる嵌め込み突起部２を底部に有しないことを特徴とする。間仕切りを兼ねながら非常用備蓄品をストックしておくことができる。【選択図】図１ｂ
0003197800.tif 000002
【実用新案登録請求の範囲】
【請求項１】
中空箱状体を一単位として組み立てる階層構造のパーテーションであって、かかる中空箱状体（床面に接する最下段用の中空箱状体を除く）は上に開口し、全部または一部に底板を有し、底部または上部に他の中空箱状体と組み合わされるよう嵌め込み突起部を有し、床面に接する最下段用の中空箱状体は上に開口し、全部または一部に底板を有するが、上記嵌め込み突起部を底部に有しないことを特徴とする、収納用パーテーション。
【請求項２】
中空箱状体を一単位として組み立てる階層構造のパーテーションであって、かかる中空箱状体（床面に接する最下段用の中空箱状体を除く）は上に開口し、全部または一部に底板を有し、底部に他の中空箱状体と組み合わされるよう嵌め込み突起部を有し、床面に接する最下段用の中空箱状体は上に開口し、全部または一部に底板を有するが、上記嵌め込み突起部を有しないことを特徴とする、収納用パーテーション。
【請求項３】
前記中空箱状体の幅と奥行きの比がほぼ２：１である、請求項１または２に記載の収納用パーテーション。
【請求項４】
同様な前記嵌め込み突起部を長手方向に片側２〜８枚を対向して同数枚有する、請求項１〜３のいずれか一項に記載の収納用パーテーション。
【請求項５】
請求項１〜４のいずれか一項に記載の収納用パーテーションを構成する前記中空箱状体。
【考案の詳細な説明】
【技術分野】
【０００１】
本考案は、パーテーションの技術分野に属する。本考案は、非常用備蓄品などを収納することができる収納用パーテーションに関するものである。詳しくは、本考案は、非常用備蓄品などを収納することができる、中空箱状体を一単位として組み立てる階層構造の収納用パーテーションに関するものである。
【背景技術】
【０００２】
パーテーションは、部屋などの居住空間を仕切る、自立型の間仕切り壁のようなものである。比較的背が高いハイパーテーションや低いローパーテーション、密閉性の高いパーテーションなど、また材質もアルミ、スチール、鉄等の金属、木材、ガラス、石膏、布、段ボール等の紙類などと、様々なタイプのものが存在する。一般には薄く、消音効果を有するものもあるが、空間を仕切るという機能を重点に商品化されている。
【０００３】
また、組立自立式のパーテーションも多いが、基本的には一枚一枚のパネルないしボードのようなものを複数枚組み合わせて構成される。そして、通常、自立できるよう脚や柱のような支持体が必要である。
【０００４】
パネルを組み合わせるものでないパーテーションとして、例えば、積み木型パーテーションが開示されている（例、特許文献１参照）。特許文献１に記載の積み木型パーテーションは、凸起を有する中空箱状体のブロックを、積み木のように積み上げて作り上げられるものである。一つ一つのブロックは比較的軽量であり、パーテーションの組み立て分解は容易であることから、専門の業者に依頼する必要がない。また、組み立て分解が容易であることは、部屋の大幅なレイアウトの変更やオフィス等の移転においても有益である。
【０００５】
一方、関東大震災や、阪神淡路大震災、東北大震災に代表されるように、日本は地震などの自然災害に見舞われ易い。そのため、非常時に備えて水や食料、あるいは医薬品、懐中電灯、乾電池、携帯ラジオといった非常用備蓄品を適当なところに常時ストックしておくべきであり、近年そのニーズが益々高まっている。特に子供らは災害弱者であり、災害時において上記非常用備蓄品の必要性が高まることが予想される。
【０００６】
従って、子供らが集まる場所、例えば、幼稚園や保育所、ショッピングモール等のキッズルームやキッズスペースには、上記非常用備蓄品が常に存在する状態が望ましい。
【先行技術文献】
【特許文献】
【０００７】
【特許文献１】特開２００２−１６１６０２号公報
【考案の概要】
【考案が解決しようとする課題】
【０００８】
特許文献１に記載の積み木型パーテーションは、凸起を有する中空箱状体のブロックを、積み木のように積み上げて作り上げられることから、組み立て分解が比較的容易である。しかしながら、基本的に当該ブロックの中に物を収納するという思想はない。そのため、物を容易に収納することができる構造には特になっていない。また、基本的にストッパーを用いて連結を固定するものである。ストッパーで連結を固定しないと、丈夫で高いパーテーションを構築することが困難である。
【０００９】
一方、前記の通り、子供らが集まる場所には、非常用備蓄品が常に存在する状態が望ましい。キッズルーム、キッズスペースなどの子供らの遊び場においても例外とは言えない。
本考案は、非常用備蓄品等の物を収納することができる、組み立て分解が容易な収納用パーテーションを提供することを主な課題とする。
【課題を解決するための手段】
【００１０】
本考案者は、鋭意検討の結果、パーテーションの組立単位となる中空箱状体のブロック構造を工夫することにより、上記課題を解決することができることを見出し、本考案を完成するに至った。
【００１１】
本考案として、例えば、下記のものを挙げることができる。
［１］中空箱状体を一単位として組み立てる階層構造のパーテーションであって、かかる中空箱状体（床面に接する最下段用の中空箱状体を除く）は上に開口し、全部または一部に底板を有し、底部または上部に他の中空箱状体と組み合わされるよう嵌め込み突起部を有し、床面に接する最下段用の中空箱状体は上に開口し、全部または一部に底板を有するが、かかる嵌め込み突起部を底部に有しないことを特徴とする、収納用パーテーション。
【００１２】
［２］中空箱状体を一単位として組み立てる階層構造のパーテーションであって、かかる中空箱状体（床面に接する最下段用の中空箱状体を除く）は上に開口し、全部または一部に底板を有し、底部に他の中空箱状体と組み合わされるよう嵌め込み突起部を有し、床面に接する最下段用の中空箱状体は上に開口し、全部または一部に底板を有するが、かかる嵌め込み突起部を有しないことを特徴とする、収納用パーテーション。
【００１３】
［３］前記中空箱状体の幅と奥行きの比がほぼ２：１である、上記［１］または［２］に記載の収納用パーテーション。
［４］同様な前記嵌め込み突起部を長手方向に片側２〜１２枚を対向して同数枚有する、上記［１］〜［３］のいずれか一に記載の収納用パーテーション。
同様な前記嵌め込み突起部を長手方向に請求項１または２に記載の収納用パーテーション。
【００１４】
［５］上記［１］〜上記［４］のいずれか一に記載の収納用パーテーションを構成する前記中空箱状体。
【００１５】
以下、本考案について詳述する。
【００１６】
１  本考案に係るパーテーション
本考案は、後述する中空箱状体を一単位として組み立てる階層構造の収納用パーテーション（以下、「本考案パーテーション」という。）に関するものである。
【００１７】
１．１  本考案に係る中空箱状体（以下、「本考案箱状体」という。）について
本考案箱状体は、床面に接する最下段用の本考案箱状体を除き、本考案箱状体の本体に相当する収納部、および他の中空箱状体と組み合わされるよう嵌め込み突起部を含む。床面に接する最下段用の本考案箱状体も基本的に同じであるが、上記嵌め込み突起部を上部に有することはあっても、底部には有しない。従って、床面に接する最下段用の本考案箱状体は、上部にも底部にも上記嵌め込み突起部を有しない場合がある。また、本考案箱状体（収納部）は、空間を２つ以上に仕切る仕切り板を有していてもよい。最上段用の本考案箱状体は、着脱ないし開閉可能な蓋を有していてもよい。
【００１８】
好ましい本考案箱状体としては、例えば、上に開口し、全部または一部に底板を有し、床面に接する最下段用の中空箱状体を除いて、底部には他の中空箱状体と組み合わされるよう嵌め込み突起部を有し、床面に接する最下段用の本考案箱状体は上記嵌め込み突起部を有しないものを挙げることができる。
【００１９】
本考案箱状体は、本考案に含まれる。
【００２０】
１．１．１  収納部
本考案箱状体に係る収納部の形態としては様々なものが考えられるが、平面形状が、例えば、長方形、扇形、Ｒ形のもの、正面形状が、例えば、長方形、台形、Ｒ形のものを挙げることができる。基本的な本考案箱状体は、平面形状も正面形状も長方形のもの、即ち直方体である（図１ａ、図１ｂ参照）。図６ａ、図６ｂのような平面形状が扇形のもので組み立てれば、円形ないし半円形の本考案パーテーションを構築することができる（図９参照）。図５ａ、図５ｂのような平面形状がＲ形のものは、本考案パーテーションがＬ字型やコ字型、口字型の場合、その角（コーナー）を構成することができる。また、正面形状が台形やＲ形などのものを組み合わせることにより、本考案パーテーションに三角形や四角形、丸形といった窓（覗き窓）を開けたような構造のものとすることができる。
【００２１】
当該収納部の大きさとしては、その種類等により異なり、また収納するのに適当なスペースが確保でき、取り扱いが不便でなければ特に制限されない。具体的には、直方体の場合、例えば、幅が２０ｃｍ〜８０ｃｍの範囲内、好ましくは３０ｃｍ〜６０ｃｍの範囲内、奥行きが１０ｃｍ〜３０ｃｍの範囲内、好ましくは１５ｃｍ〜２５ｃｍの範囲内、高さが１５ｃｍ〜４０ｃｍの範囲内、好ましくは２０ｃｍ〜３０ｃｍの範囲内である。これら下限の各寸法より小さいと収納するスペースが狭くなり、これら上限の各寸法より大きいと取り扱いが不便となる場合がある。直方体以外の収納部も直方体と見立てて同様の寸法を挙げることができる。
【００２２】
本考案箱状体の幅と奥行きの比は、特に制限されないが、通常、３：１〜１．５：１程度の範囲内である。好ましくは、２．５：１〜１．８：１程度の範囲内であり、より好ましくは２：１程度である。３：１より幅が広いと、収納スペースを確保するために細長くなる場合があり、１．５：１より幅が小さいと、厚みのあるパーテーションとなる場合がある。
【００２３】
当該収納部の各側面の厚みとしては、本考案箱状体の種類や材質等により異なり、特に制限されないが、全てほぼ同じであることが好ましい。少なくとも後述する嵌め込み突起部が嵌め込まれる側面は同じであることが好ましい。具体的な当該厚みとしては、例えば、０．５ｃｍ〜２ｃｍの範囲内、好ましくは０．８ｃｍ〜１．２ｃｍの範囲内を挙げることができる。
【００２４】
当該収納部の材質としては、例えば、木材（例、べニア、コンパネ、合板）、ガラス、アルミ、スチール、カーボン（炭素）、アクリル樹脂、鉄等の金属を挙げることができる。この中、木材、アルミ、カーボン（炭素）、アクリル樹脂が適当である。これらを組み合わせることもできる。後で詳述する底板や嵌め込み突起部、仕切り板、蓋などの材質も基本的に同じである。当該収納部の材質を木材とし、底板や嵌め込み突起部を金属と組み合わせることもできる。
【００２５】
１．１．２  嵌め込み突起部
本考案箱状体は、床面に接する最下段用の本考案箱状体を除き、底部または上部に他の中空箱状体と組み合わせることができるよう嵌め込み突起部を有する。当該突起部は、通常、本考案箱状体の底部または上部のいずれか一方にあるが、両方にあってもよい。床面に接する最下段用の本考案箱状体は、上部には当該突起部を有する場合があるが、底部には有しない。
【００２６】
当該突起部の数としては、他の本考案箱状体と組み合わされ固定されれば特に制限されないが、通常、複数枚である。他の本考案箱状体と組み合わされ固定されれば１枚でもよい。当該突起部の設置場所は、長手方向でも横手方向でもよい。その両方であってもよい。本考案箱状体における好ましい当該突起部の設置場所と枚数は、長手方向に片側２〜１２枚、片側２〜８枚または片側２〜６枚を対向して同数枚である。
【００２７】
当該突起部の長さは、他の本考案箱状体と組み合わされ固定されれば特に制限されないが、本考案箱状体からの突出部分の長さとして、本考案箱状体の高さの１／３〜３／４程度の範囲内が適当である。好ましくは１／２程度である。各突起部の長さは同じであることが好ましいが、異なっていてもよい。当該突起部の長さが短すぎると、他の本考案箱状体との組み合わせ固定が上手く行かない場合がある。
【００２８】
当該突起部の形状としては、他の本考案箱状体と組み合わされ固定されれば特に制限されないが、通常、長方形である。台形や三角形、半円形、丸形でもよい。全ての形状が同じである必要はないが、製造等の観点から同じ形状であることが好ましい。また、各エッジは安全のため、丸く（面取り）していることが好ましい。
【００２９】
当該突起部の厚みとしては、その材質等により異なり、相応の強度が保てれば特に制限されないが、具体的には、例えば、０．２ｃｍ〜１．５ｃｍの範囲内、好ましくは０．５ｃｍ〜１．２ｃｍの範囲内、より好ましくは１ｃｍ前後を挙げることができる。０．２ｃｍより狭いと、強度が保てないおそれがあり、１．５ｃｍより厚いと、重くなり取り扱いが不便となるおそれがある。
【００３０】
当該突起部を片側に複数枚有する場合、その設置間隔は、少なくとも本考案箱状体の側面厚（縁周りの厚み）の２倍以上である。好ましくは本考案箱状体の側面厚のほぼ２倍である。当該設置間隔が該側面厚の２倍であると、隣り合う２枚の突起部が下段の２つの本考案箱状体の横手方向の側面をしっかり挟んで固定することができる。なお、隣り合う２枚の突起部の各間隔は、必ずしも同じである必要はない。
【００３１】
１．１．３  本考案箱状体に係る底板
本考案箱状体（収納部）は、物を収納できるよう底板を有することがよい。但し、全ての本考案箱状体に当該底板を有する必要は特にない。当該底板を有する本考案箱状体と有しない本考案箱状体とをうまく組み合わせることにより、背の高い物などを収納することができる。
【００３２】
当該底板は、本考案箱状体の底面かそれより上部にあれば特に制限されないが、あまり上部にあると収納スペースが狭くなり好ましくない。当該底板は、本考案箱状体の高さの半分以下の位置にあることが好ましく、本考案箱状体の高さの半分以下の位置にあり、かつ嵌め込み突起部の上端にあることがより好ましい。
【００３３】
１．２  本考案箱状体の作製
本考案箱状体は、常法により、作製することができる。例えば、所望の寸法に木材などの材料を切断し、接着剤や釘などを用いて、所望の形態に組み立てることができる。本考案箱状体に色彩やデザインを施すこともできる。
【００３４】
なお、本考案パーテーションを子供らが遊ぶ空間に構築する場合には、安全性を担保すべきであり、そのために柔らかい素材ないしクッション材（緩衝材）で覆うことが好ましい。そのような緩衝材としては、例えば、ウレタン、ＰＶＡ、ゴム、発泡ポリエチレン、ウール、アクリル、ナイロンなどの繊維素材を挙げることができる。その上を更に合皮や本革等のレザーや布などで覆うこともできる。
【００３５】
２  本考案パーテーションの組み立て
本考案パーテーションは、多数の本考案箱状体をブロック玩具のように組み合わせることにより構築することができる。
【００３６】
具体的には、例えば、まず床面用の本考案箱状体を長手方向に一列に並べ、必要に応じて向きを変え（床面用でコーナー用の本考案箱状体を用いることができる）コーナーを作り、再び長手方向に一列に並べる。その上（２段目）に、床面に接する隣り合う２つの本考案箱状体を固定するためにその２つを跨いでシフトさせながら２段目の本考案箱状体を前記嵌め込み突起部により嵌め込み積み上げていく。３段目以降の積み上げも２段目と基本的に同様に行い、本考案パーテーションを簡単に構築することができる。言わばブロック玩具を積み上げていく要領で本考案パーテーションを構築することができる。また、本考案箱状体の嵌め込みは簡単に外れるから、本考案パーテーションの分解も容易に行うことができる。本考案パーテーションの高さの制限は特にない。
場合により、逆さまにして嵌め込むこともできる。
【００３７】
本考案パーテーションは、その用途に応じ、例えば、直線型（Ｉ字型）、Ｌ字型、コ字型、口字型に構築することができる。扇形の本考案箱状体を多数用いれば、コーナーのない円形ないし半円形の本考案パーテーションを構築することができる。また、正面形状がＲ形や台形などの本考案箱状体を適宜組み合わせれば、本考案パーテーションに丸形や四角形、菱形などの開口部（窓、穴）を設けることもできる。ドーム形などの入口を設けることもできる。
【００３８】
３  本考案パーテーションの利用方法
本考案パーテーションは、例えば、一般家屋内や、幼稚園、保育所などの教育施設内ないし児童福祉施設内、病院内、室内、ショッピングモールやショッピングスーパー、百貨店、カラオケ店、書店、量販店、ホームセンターなどの商業施設内やそのキッズルームないしキッズスペース、展示会場内、催し物会場内やそのキッズルームないしキッズスペースの間仕切りとして設置することができる。船舶内、鉄道内などの乗り物内にも、スペースがあれば設置することができる。本考案パーテーションは、基本的に屋内に設置するものであるが、屋外に設置することを排除するものではない
【００３９】
本考案パーテーション（本考案箱状体の収納部）には、例えば、飲料水、お茶、ジュース等が入ったペットボトルや缶、インスタントラーメン、カップラーメン、パック米等のインスタント食品、保存食、缶詰、お菓子などの食料、医薬品、懐中電灯、乾電池、携帯ラジオ、子供用ないし大人用おむつ、簡易トイレといった非常用備蓄品を収納することができる。本考案パーテーションは、一旦構築され設置されると、そこに収納された物を取り出すことは容易でない場合があることから、非常用備蓄品以外の物を収納するには不向きであるが、非常用備蓄品以外の物を収納できないものではない。
【００４０】
本考案パーテーションは、個々の本考案箱状体にまで容易に分解することができる。従って、地震等の非常時などに際して、本考案パーテーション（本考案箱状体の収納部）に収納された非常用備蓄品などを容易に取り出し、供することができる。
【考案の効果】
【００４１】
本考案によれば、間仕切りを兼ねながら非常用備蓄品をストックしておくことができる。そのため限られた空間を有効に活用することができる。また、本考案パーテーションに非常用備蓄品をストックしておければ、地震などの非常時に際して有効である。
【図面の簡単な説明】
【００４２】
【図１ａ】本考案箱状体の一実施形態の斜視透過図である。
【図１ｂ】図１ａに係る本考案箱状体の投影図である。（１）は平面図、（２）は正面図、（３）は底面図、（４）は右側面図、（５）はＸ−Ｘ断面図を、それぞれ表す。
【図２ａ】本考案箱状体の一実施形態の斜視透過図である。
【図２ｂ】図２ａに係る本考案箱状体の投影図である。（１）は平面図、（２）は正面図、（３）は底面図、（４）は右側面図、（５）はＸ−Ｘ断面図を、それぞれ表す。
【図３ａ】本考案箱状体の一実施形態の斜視透過図である。
【図３ｂ】図３ａに係る本考案箱状体の投影図である。（１）は平面図、（２）は正面図、（３）は底面図、（４）は左側面図、（５）は右側面図、（６）は背面図、（７）はＸ−Ｘ断面図を、それぞれ表す。
【図４ａ】本考案箱状体の一実施形態の斜視透過図である。
【図４ｂ】図４ａに係る本考案箱状体の投影図である。（１）は平面図、（２）は正面図、（３）は底面図、（４）は左側面図、（５）は右側面図、（６）は背面図、（７）はＸ−Ｘ断面図を、それぞれ表す。
【図５ａ】本考案箱状体の一実施形態の斜視透過図である。
【図５ｂ】図５ａに係る本考案箱状体の投影図である。（１）は平面図、（２）は正面図、（３）は底面図、（４）は左側面図、（５）は右側面図、（６）は背面図、（７）はＸ−Ｘ断面図を、それぞれ表す。
【図６ａ】本考案箱状体の一実施形態の斜視透過図である。
【図６ｂ】図６ａに係る本考案箱状体の投影図である。（１）は平面図、（２）は正面図、（３）は底面図、（４）は右側面図、（５）はＸ−Ｘ断面図を、それぞれ表す。
【図７】本考案パーテーションの一実施形態である。
【図８】本考案パーテーションの一実施形態である。
【図９】本考案パーテーションの一実施形態である。
【考案を実施するための形態】
【００４３】
次に、図面に基づき、本考案を実施するための形態について詳述する。なお、本考案は、以下に記載する形態に限定されるものではない。
【００４４】
図７〜図９は、本考案パーテーションの実施形態例を示す。
【００４５】
１  図７に記載の本考案パーテーションについて
当該本考案パーテーションは、図１ａと図１ｂに記載の本考案箱状体（以下、「タイプＩ箱状体」という。）をブロック玩具のように多数組み合わせて構成されている。当該本考案パーテーションは、全てがタイプＩ箱状体のみで構成されている。図７では、最上段に組み込まれるタイプＩ箱状体のブロックがその下のタイプＩ箱状体のブロックに嵌め込まれる様子が表されている。
【００４６】
タイプＩ箱状体は、直方体の収納部１、その正面および背面の長手方向の下部に各２枚ずつ計４枚の同じ嵌め込み突起部２、ならびに底板３から基本的になる。最上段を構成するタイプＩ箱状体は上部に着脱ないし開閉可能な蓋４を有している。
【００４７】
タイプＩ箱状体に係る収納部１の幅と奥行きの比は２：１である。当該底板３は、当該収納部１の高さの半分以下、下１／３のところにある。そして、その直下に４枚の嵌め込み突起部２を図面に記載の通り有し、４枚の当該突起部２は、当該収納部１の高さの１／２の長さが当該収納部１から突出している。隣り合う２枚の当該突起部２は、当該収納部１の横手方向側面の厚み幅の２倍の隙間を隔てて設置されている。この隙間に下段の２つのタイプＩ箱状体の横手方向側面が嵌まり込み、しっかり固定される。
【００４８】
２  図８に記載の本考案パーテーションについて
当該本考案パーテーションは、図２ａと図２ｂに記載の本考案箱状体（以下、「タイプＩＩ箱状体」という。）、図３ａと図３ｂに記載の本考案箱状体（以下、「タイプＩＩＩ箱状体」という。）、図４ａと図４ｂに記載の本考案箱状体（以下、「タイプＩＶ箱状体」という。）、図５ａと図５ｂに記載の本考案箱状体（以下、「タイプＶ箱状体」という。）などの本考案箱状体を適宜、ブロック玩具のように多数組み合わせて構成されている。覗き窓５は、タイプＩＶ箱状体を２つ連結させたような本考案箱状体などを用いて作製される。図８では、最上段に組み込まれる本考案箱状体のブロックがその下の本考案箱状体のブロックに嵌め込まれる様子が表されている。
【００４９】
タイプＩＩ箱状体は、直方体の収納部１、その正面および背面の長手方向の下部に各６枚ずつ計１２枚の同じ嵌め込み突起部２、ならびに底板３から基本的になる。最上段のタイプＩＩ箱状体は上部に着脱ないし開閉可能な蓋４を有している。
【００５０】
タイプＩＩ箱状体に係る収納部１の幅と奥行きの比は２：１である。当該底板３は、当該収納部１の高さの半分以下、下１／３のところにある。そして、その直下に１２枚の嵌め込み突起部２を図面に記載の通り有し、１２枚の当該突起部２は、当該収納部１の高さの１／２の長さが当該収納部１から突出している。隣り合う２枚の当該突起部２は、当該収納部１の横手方向側面の厚み幅の２倍の隙間を隔てて設置されている。この隙間に下段の２つの本考案箱状体の横手方向側面が嵌まり込み、しっかり固定される。
【００５１】
タイプＩＩＩ箱状体は、正面形状が台形の収納部１、その正面および背面の長手方向の下部に各３枚ずつ計６枚の同じ嵌め込み突起部２、ならびに底板３から基本的になる。
【００５２】
タイプＩＩＩ箱状体に係る収納部１の上部の幅と奥行きの比は２：１である。当該底板３は、当該収納部１の高さの半分以下、下１／３のところにある。そして、その直下に６枚の嵌め込み突起部２を図面の通り有し、６枚の当該突起部２は、当該収納部１の高さの１／２の長さが当該収納部１から突出している。隣り合う２枚の当該突起部２は、当該収納部１の横手方向側面の厚み幅の２倍の隙間を隔てて設置されている。この隙間に下段の２つの本考案箱状体の横手方向側面が嵌まり込み、しっかり固定される。
【００５３】
タイプＩＩＩ箱状体のような本考案箱状体を用いれば、当該本考案パーテーションに三角形や菱形などの覗き窓を作製することができる。
【００５４】
タイプＩＶ箱状体は、正面形状がＲ形の収納部１、その正面および背面の長手方向の下部に各３枚ずつ計６枚の同じ嵌め込み突起部２、ならびに底板３から基本的になる。
【００５５】
タイプＩＶ箱状体に係る収納部１の上部の幅と奥行きの比は２：１である。当該底板３は、当該収納部１の高さの半分以下、下１／３のところにある。そして、その直下に６枚の嵌め込み突起部２を図面に記載の通り有し、６枚の当該突起部２は、当該収納部１の高さの１／２の長さが当該収納部１から突出している。隣り合う２枚の当該突起部２は、当該収納部１の横手方向側面の厚み幅の２倍の隙間を隔てて設置されている。この隙間に下段の２つの本考案箱状体の横手方向側面が嵌まり込み、しっかり固定される。
【００５６】
タイプＩＶ箱状体のような本考案箱状体を用いれば、当該本考案パーテーションに円形や半円形などの覗き窓を作製することができる。
【００５７】
タイプＶ箱状体は、平面形状がＲ形の収納部１、その正面および背面の長手方向の下部に各３枚ずつ計６枚の同じ嵌め込み突起部２、ならびに底板３から基本的になる。
【００５８】
タイプＶ箱状体に係る収納部１の上部の幅と奥行きの比は２：１である。当該底板３は、当該収納部１の高さの半分以下、下１／３のところにある。そして、その直下に６枚の嵌め込み突起部２を図面に記載の通り有し、６枚の当該突起部２は、当該収納部１の高さの１／２の長さが当該収納部１から突出している。隣り合う２枚の当該突起部２は、当該収納部１の横手方向側面の厚み幅の２倍の隙間を隔てて設置されている。この隙間に下段の２つの本考案箱状体の横手方向側面が嵌まり込み、しっかり固定される。
【００５９】
タイプＶ箱状体のような本考案箱状体は、当該本考案パーテーションの角（コーナー）を構成することができる。
【００６０】
３  図９に記載の本考案パーテーションについて
当該本考案パーテーションは、図６ａと図６ｂに記載の本考案箱状体（以下、「タイプＶＩ箱状体」という。）などの本考案箱状体を適宜、ブロック玩具のように多数組み合わせて構成されている。図９では、最上段に組み込まれる本考案箱状体のブロックがその下の本考案箱状体のブロックに嵌め込まれる様子が表わされている。また、覗き窓５やアーチ型の入口を構築することができる本考案箱状体が使用されている。
【００６１】
タイプＶＩ箱状体は、平面形状が扇型の収納部１、その正面および背面の長手方向の下部に各６枚ずつ計１２枚の嵌め込み突起部２（幅が全て同じではない）、ならびに底板３から基本的になる。最上段のタイプＶＩ箱状体は上部に着脱ないし開閉可能な蓋４を有している。
【００６２】
タイプＶＩ箱状体に係る底板３は、当該収納部１の高さの半分以下、下１／３のところにある。そして、その直下に１２枚の嵌め込み突起部２を図面に記載の通り有し、１２枚の当該突起部２は、当該収納部１の高さの１／２の長さが当該収納部１から突出している。隣り合う２枚の当該突起部２は、当該収納部１の横手方向側面の厚み幅の２倍の隙間を隔てて設置されている。この隙間に下段の２つの本考案箱状体の横手方向側面が嵌まり込み、しっかり固定される。
【産業上の利用可能性】
【００６３】
本考案は、間仕切りを兼ねながら非常用備蓄品をストックしておくことができることから、限られたキッズルームなどの空間を有効に活用しつつ、非常用備蓄品をストックすることができる収納用パーテーションとして有用である。
【符号の説明】
【００６４】
１  収納部
２  嵌め込み突起部
３  底板
４  蓋
５  覗き窓
【図１ａ】
0003197800.tif 000003
【図１ｂ】
0003197800.tif 000004
【図２ａ】
0003197800.tif 000005
【図２ｂ】
0003197800.tif 000006
【図３ａ】
0003197800.tif 000007
【図３ｂ】
0003197800.tif 000008
【図４ａ】
0003197800.tif 000009
【図４ｂ】
0003197800.tif 000010
【図５ａ】
0003197800.tif 000011
【図５ｂ】
0003197800.tif 000012
【図６ａ】
0003197800.tif 000013
【図６ｂ】
0003197800.tif 000014
【図７】
0003197800.tif 000015
【図８】
0003197800.tif 000016
【図９】
0003197800.tif 000017